(57)【要約】【課題】本発明は、各企業のＩＲ情報を投資家に向けて効率的に配信することができるＩＲ情報配信システムの提供を課題とする。【解決手段】 ＩＲ情報をインターネット上において表示するＩＲサイト１と、該ＩＲサイト１における所定のＩＲ情報をＲＳＳに変換して、該ＲＳＳに変換されたＩＲ情報をＰＤＦファイルに変換するＩＲ配信サーバ２と、該ＩＲ配信サーバ２からインターネットを介してＩＲ情報のＰＤＦファイルを取得して表示させる投資家の情報端末３とを備える。【選択図】図１
2008299706.tif 000002
【特許請求の範囲】
【請求項１】
ＩＲ情報をインターネット上において表示するＩＲサイトと、
該ＩＲサイトにおける所定のＩＲ情報をＰＤＦファイルを含むＲＳＳに変換するＩＲ配信サーバと、
該ＩＲ配信サーバからインターネットを介してＩＲ情報のＰＤＦファイルを取得して表示させる投資家の情報端末とを備えることを特徴とするＩＲ情報配信システム。
【請求項２】
前記ＩＲ配信サーバは、投資家の情報端末が本システムに登録するときに属性入力画面を投資家の情報端末に送信し、投資家の情報端末において当該属性入力画面に入力された投資家の属性情報を取得した上でＲＳＳ購読者属性解析エンジンに通知し、該ＲＳＳ購読者購読者属性解析エンジンは投資家の属性情報を当該投資家の識別番号と関連付けながらＲＳＳ購読属性情報記憶部に記憶するものとなされている請求項１に記載のＩＲ情報配信システム。
【請求項３】
前記ＩＲ配信サーバと投資家の情報端末との間のインターネット上にＲＳＳ購読解析エンジンが介在し、ＲＳＳ購読解析エンジンが投資家の情報端末からの要求に応じて該当するＩＲ情報が存在するＩＲ配信サーバのアドレス情報を投資家の情報端末に送信し、投資家の情報端末は該アドレス情報に基づいてＩＲ配信サーバからＩＲ情報のＰＤＦファイルを取得して表示させるものとなされている請求項１または請求項２に記載のＩＲ情報配信システム。
【請求項４】
前記ＲＳＳ購読解析エンジンは、投資家の情報端末からの要求に応じて該当するＩＲ情報が存在するＩＲ配信サーバのアドレス情報を投資家の情報端末に送信した際に、ＲＳＳの購読解析結果をＲＳＳ購読解析情報記憶部に記憶するものとなされている請求項３に記載のＩＲ情報配信システム。
【請求項５】
前記ＲＳＳ購読解析エンジンは、前記ＲＳＳ購読者属性解析エンジンに属性解析要求をリクエストし、該ＲＳＳ購読者属性解析エンジンは予め記憶している投資家の属性情報を元に解析した結果をＲＳＳ購読属性情報記憶部に記憶するものとなされている請求項４に記載のＩＲ情報配信システム。
【請求項６】
前記投資家の属性情報は、都道府県、生年月日、性別などの投資家が個別に特定されない属性情報である請求項１ないし請求項５のいずれかに記載のＩＲ情報配信システム。
【請求項７】
前記ＲＳＳ配信サーバは、ＩＲ情報の動画や音声のファイルも投資家の情報端末に配信するものとなされている請求項１ないし請求項６のいずれかに記載のＩＲ情報配信システム。
【発明の詳細な説明】
【技術分野】
【０００１】
本発明は、各企業のＩＲ情報を投資家に効率的に配信するためのＩＲ情報配信システムに関する。
【背景技術】
【０００２】
従来、企業が主に投資家に向けて株式等に関する会社情報（これをＩＲ情報という）を公開することが行われており、近年のインターネットの普及に伴って、サイトにＩＲ情報を公開する企業が増えている。そして、投資家は自己の情報端末から当該企業のサイトにアクセスして、サイト上のＩＲ情報が掲載されているページを閲覧するものとなされている。
【発明の開示】
【発明が解決しようとする課題】
【０００３】
しかしながら、企業ごとにＩＲ情報が公開され、また日々更新されていく場合が多いため、投資家が最新のＩＲ情報の有無を企業のサイトに都度確認しなければならず煩雑である上に、膨大な情報量となるために整理するのが面倒であるという問題があった。
【０００４】
また、各企業のサイトから投資家に向けてＩＲ情報をメールすることも行われているが、場合によってはスパムメールに埋もれてしまい見落としてしまうという問題があった。
【０００５】
さらに各企業のサイトからＩＲ情報の動画や音声を提供されていることを認知されていない場合がある上に、仮に認知されていたとしても動画や音声を視聴するためにサイトを確認しなければならず、動作が重いという問題もあった。
【０００６】
本発明は、上記問題に鑑みてなされたものであって、各企業のＩＲ情報を投資家に向けて効率的に配信することができるＩＲ情報配信システムの提供を課題とする。
【課題を解決するための手段】
【０００７】
本発明は、上記課題を解決するために、ＩＲ情報をインターネット上において表示するＩＲサイトと、該ＩＲサイトにおける所定のＩＲ情報をＰＤＦファイルを含むＲＳＳに変換するＩＲ配信サーバと、該ＩＲ配信サーバからインターネットを介してＩＲ情報のＰＤＦファイルを取得して表示させる投資家の情報端末とを備えることを特徴とする。
【０００８】
また、前記ＩＲ配信サーバは、投資家の情報端末が本システムに登録するときに属性入力画面を投資家の情報端末に送信し、投資家の情報端末において当該属性入力画面に入力された投資家の属性情報を取得した上でＲＳＳ購読者属性解析エンジンに通知し、該ＲＳＳ購読者購読者属性解析エンジンは投資家の属性情報を当該投資家の識別番号と関連付けながらＲＳＳ購読属性情報記憶部に記憶するものとなされているのが好ましい。
【０００９】
また、前記ＩＲ配信サーバと投資家の情報端末との間のインターネット上にＲＳＳ購読解析エンジンが介在し、ＲＳＳ購読解析エンジンが投資家の情報端末からの要求に応じて該当するＩＲ情報が存在するＩＲ配信サーバのアドレス情報を投資家の情報端末に送信し、投資家の情報端末は該アドレス情報に基づいてＩＲ配信サーバからＩＲ情報のＰＤＦファイルを取得して表示させるものとなされているのが好ましい。
【００１０】
また、前記ＲＳＳ購読解析エンジンは、投資家の情報端末からの要求に応じて該当するＩＲ情報が存在するＩＲ配信サーバのアドレス情報を投資家の情報端末に送信した際に、ＲＳＳの購読解析結果をＲＳＳ購読解析情報記憶部に記憶するものとなされているのが好ましい。
【００１１】
また、前記ＲＳＳ購読解析エンジンは、前記ＲＳＳ購読者属性解析エンジンに属性解析要求をリクエストし、該ＲＳＳ購読者属性解析エンジンは予め記憶している投資家の属性情報を元に解析した結果をＲＳＳ購読属性情報記憶部に記憶するものとなされているのが好ましい。
【００１２】
また、前記投資家の属性情報は、都道府県、生年月日、性別などの投資家が個別に特定されない属性情報であるのが好ましい。
【００１３】
また、前記ＲＳＳ配信サーバは、ＩＲ情報の動画や音声のファイルも投資家の情報端末に配信するものとなされているのが好ましい。
【発明の効果】
【００１４】
請求項１に係る発明によれば、投資家は企業のＩＲ情報をＰＤＦファイルで自動ダウンロードして自己の情報端末で閲覧・視聴することができる上に、各企業ごとにファイルが自動的に整理されるため管理しやすくなる。また、ＩＲ情報の配信に特化した専用クライアントを用意するためスパムが生じることがなく、ＩＲ情報の一部分でなく完全なＩＲ情報をＰＤＦファイルとしてスムーズに提供することができる。
【００１５】
請求項２に係る発明によれば、情報端末はＲＳＳ購読解析エンジンを通じてＩＲ情報のＰＤＦファイルを取得するので、どの情報端末がどのＩＲ情報を取得したかを把握することができる。
【００１６】
請求項３に係る発明によれば、投資家の属性情報をデータベース的に蓄積することができる。
【００１７】
請求項４に係る発明によれば、ＲＳＳ購読者である投資家の人数やＩＲ情報のＰＤＦファイルがどれだけダウンロードされたかなどのＲＳＳ購読の解析結果をデータベース的に蓄積することができ、企業のＩＲ活動に役立てることが可能となる。
【００１８】
請求項５に係る発明によれば、ＲＳＳ購読者の属性情報も使用することによりＲＳＳ購読をより一層効率的に解析できるとともに、それをデータベース的に蓄積することができ、ひいては企業のＩＲ活動により一層役立てることが可能となる。
【００１９】
請求項５に係る発明によれば、投資家が個別に特定されることがないので、投資家が属性情報を抵抗なく入力するものとなり、効率的に投資家の属性情報を収集することができる。
【００２０】
請求項６に係る発明によれば、ＩＲ情報のテキストデータのみならず、動画や音声についても投資家に配信することができる。
【発明を実施するための最良の形態】
【００２１】
＜システムの構成および動作＞
次に本発明の一実施形態に係るＩＲ情報配信システムについて図面を参照しつつ説明する。
【００２２】
図１は、企業が本システムを導入するときの状態を示すシステム構成図である。
【００２３】
図１において、１は企業のＩＲ情報が掲載されたＩＲサイト、２は該ＩＲサイト１のＩＲ情報をＰＤＦファイルを含むＲＳＳに変換するＩＲ配信サーバ、３はシステム運用者の情報端末である。
【００２４】
まず、本システム運用者と企業のＩＲ担当者が打ち合わせを行い、ＩＲ情報のうち配信したいものと配信しなくないものなどを決定する（１−１）。そして、本システム運用者が、ＩＲサイトを分析した上で（１−２）、打ち合わせにより配信が決定したＩＲ情報について各種設定をサーバに施す（１−３）。例えば、ＩＲサイトの所定の範囲までの日付情報、タイトル情報、ＰＤＦファイルの存在位置（ＵＲＬ）、ファイルのサイズ、ロジックなどを設定する。
【００２５】
そして、ＩＲサイトのＩＲ情報を自動的にＲＳＳ化する自動処理が常時稼働を開始する（１−４）。また、当該ＲＳＳを常時確認するようにプリセットされた専用クライアントソフトを用意する（１−５）。
【００２６】
図２は、投資家が本システムに会員登録するときの状態を示すシステム構成図である。
【００２７】
図２において、４は収集／分析が面倒なＲＳＳ購読者である投資家の属性解析を支援するＲＳＳ購読者属性解析エンジン、５は投資家の属性情報を記憶するＲＳＳ購読属性情報記憶部、６は投資家の情報端末である。
【００２８】
まず、投資家が自己の情報端末６からインターネットを介してＩＲ配信サーバ２にアクセスし、購読申請と属性登録を行う（２−１）。具体的には、投資家が図４に示すような各企業のＩＲサイト画面において「ＩＲｃａｓｔ」ボタン１０１をクリックすると、図５に示すようなシステム案内画面が表示され、当画面中の「ＩＲｅｃｅｉｖｅ」ボタン１０２をクリックすると図６に示すような属性入力画面が情報端末に表示される。そして、投資家が属性入力画面に都道府県、生年月日、性別などの属性情報を入力すれば、ＩＲ配信サーバ２が投資家の属性情報を取得することができる。会員の属性情報はこれらに限定されるものではないが、投資家に抵抗なく会員登録してもらうために投資家を個別に特定できない属性情報が好ましい。なお、１０３は、既に本システムに会員登録している投資家が本ＩＲ情報を取得するための専用ソフトをダウンロードする場合に使用されるボタンである。
【００２９】
そして、ＩＲサーバ２はＲＳＳ購読者属性解析エンジン４に対して投資家の属性登録を通知し（２−２）、ＲＳＳ購読者属性解析エンジン４は投資家の属性情報を当該投資家の識別番号と関連付けながらＲＳＳ購読属性情報記憶部５に記憶する（２−３）。
【００３０】
また、投資家の情報端末６は当該企業のサイトに対応するＲＳＳを後述のＲＳＳ購読解析エンジン７を介して取得するようにプリセットされた専用クライアントソフトをダウンロードする（２−４）。
【００３１】
図３は、投資家が本システムを利用するときの状態を示すシステム構成図である。
【００３２】
図３において、７はＲＳＳ購読者である投資家のアクセスログを元に、ＲＳＳ購読者の購読者数や閲覧数を解析／レポートするためのＲＳＳ購読解析エンジン、８はＲＳＳ購読者である投資家の人数やＩＲ情報のＰＤＦファイルがどれだけダウンロードされたかなどのＲＳＳ購読の解析結果を記憶するＲＳＳ購読解析情報記憶部である。
【００３３】
まず、ＲＳＳ購読解析エンジン７が投資家の情報端末５からの要求に応じて、該当するＩＲ情報が存在するＩＲ配信サーバ２のアドレス情報を投資家の情報端末６に送信し（３−１）、投資家の情報端末６は該アドレス情報に基づいてＩＲ配信サーバからＩＲ情報のＰＤＦファイルを取得して表示させる（３−２）。
【００３４】
また、前記ＲＳＳ購読解析エンジン７は、投資家の情報端末６からの要求に応じて該当するＩＲ情報が存在するＩＲ配信サーバ２のアドレス情報を投資家の情報端末に送信した際に、ＲＳＳの購読解析結果をＲＳＳ購読解析情報記憶部８に記憶する（３−３）。
【００３５】
さらに、前記ＲＳＳ購読解析エンジン７は、前記ＲＳＳ購読者属性解析エンジン４に属性解析要求をリクエストし（３−４）、該ＲＳＳ購読者属性解析エンジン４はＲＳＳ購読属性情報記憶部５に予め記憶されている投資家の属性情報を元に解析した結果、例えばあるＩＲ情報をダウンロードした投資家の年齢層・性別・都道府県の解析結果などをＲＳＳ購読属性情報記憶部５に記憶する（３−５）。
【００３６】
＜投資家にとってのメリット＞
本システムによれば投資家にとって下記のようなメリットがある。
【００３７】
・継続的に配信されるＩＲ情報をわざわざ企業のＩＲサイトを見て確認する煩わしさから解放される。
・メールアドレスのような個人情報を出さなくてもＩＲ情報を継続的に入手できる。
・新しいＩＲ情報が配信された事を見逃す事が無い。
・ＩＲ情報ファイル(ＰＤＦ,動画,音声)そのものを取得するので、オフライン環境になっても閲覧できる。
・本システムは共通の仕様であり、複数の導入企業からＩＲ情報を一括して取得・管理出来る。
・企業名毎に整理してＩＲ情報のＰＤＦファイルを保存するので、ＩＲ情報の整理に要する時間的コストを削減できる。
【００３８】
＜企業にとってのメリット＞
本システムによれば企業にとって下記のようなメリットがある。
【００３９】
・ＩＲ活動の新しいマーケティングツールとして活用できる。
・全投資家に対してほぼリアルタイムに完全なＩＲ情報を提供できる。
・ＩＲ情報配信を積極的に行っている姿勢をアピールでき、「ファン作り」を促進できる。
・一部分ではない完全なＩＲ情報ファイルが配信される為、不要なＩＲ関連問い合わせ対応コストを削減できる。
・ＩＲご担当者様の通常業務に追加作業が一切発生しない。
・ＩＲ情報を受信している投資家の属性情報を取得でき、月次レポートを入手できる。
・ＩＲ情報を受信する投資家の任意の属性を取得できる。
【００４０】
＜証券業界事業者にとってのメリット＞
本システムによれば証券業界事業者にとって下記のようなメリットがある。
【００４１】
・世界にも類を見ないＩＲ情報配信サービスをツールとして持つ事で他社との差別化を図れる。
・上場企業様、上場予定企業様への提供可能サービスのラインナップを増加させられる。
・新サービスの開発・運営コストなく新たなサービスを提供できるようになる。
・新しいＩＲ情報配信サービスを推進する姿勢をアピールできる。
・これらを一要素として新たな顧客を創造できる。
・既存顧客様へのサービスを高める事ができる。
【図面の簡単な説明】
【００４２】
【図１】企業が本システムを導入するときの状態を示すシステム構成図である。
【図２】投資家が本システムに会員登録するときの状態を示すシステム構成図である。
【図３】投資家が本システムを利用するときの状態を示すシステム構成図である。
【図４】ＩＲサイト画面の一例を示す図である。
【図５】システム案内画面の一例を示す図である。
【図６】属性入力画面の一例を示す図である。
【符号の説明】
【００４３】
１・・・企業のＩＲサイト
２・・・ＩＲ配信サーバ
３・・・システム運用者の情報端末
４・・・ＲＳＳ購読者属性解析エンジン
５・・・ＲＳＳ購読属性情報記憶部
６・・・投資家の情報端末
７・・・ＲＳＳ購読解析エンジン
８・・・ＲＳＳ購読解析情報記憶部
【図１】
2008299706.tif 000003
【図２】
2008299706.tif 000004
【図３】
2008299706.tif 000005
【図４】
2008299706.tif 000006
【図５】
2008299706.tif 000007
【図６】
2008299706.tif 000008